(57)【要約】 【課題】  鉄筋コンクリート壁高欄における型枠工事の作業性を向上させる。【解決手段】本発明に係る壁用型枠パネル１の堰板保持部４，４には、下方に開いたスリット２１，２１をそれぞれ形成してあるとともに、該スリットは、床版２の上面に垂直に載置された堰板３１が挿入自在となるように、かつ該堰板の側面３６で下段下方縁部９に当接するように形成してある。同様に、中間堰板保持部５ａ，５ｂ，５ｃ，５ｄには中間スリット２２をそれぞれ形成してあるとともに、該中間スリットは、堰板３１がその側面３６で下段下方縁部９に当接するように形成してある。伸縮機構６ａ，６ｂは、基端部位である高ナット３２，３２を中間堰板保持部５ａと中間堰板保持部５ｄにそれぞれ溶接等で固着してあるとともに、先端部位である当接部３４，３４を、堰板３１の側面３５にそれぞれ当接自在となるように構成してある。【選択図】  図３
2019116804.tif 000002
【特許請求の範囲】
【請求項１】
建込み姿勢において各側方、下方及び上方に位置する縁部をそれぞれ一対の側方縁部、下方縁部及び上方縁部として有するとともに該建込み姿勢において前記上方縁部の水平位置が前記下方縁部の水平位置よりもコンクリート打設側にずれるように構成されてなる矩形状の面板部と、前記一対の側方縁部であって前記下方縁部の近傍に位置する部位にそれぞれ立設され前記建込み姿勢で下方となる方向に開いたスリットがそれぞれ形成された一対の堰板保持部と、前記面板部の非コンクリート打設側に基端部位が連結されてなる伸縮機構とを備えるとともに、前記スリットを、長尺状の堰板が挿入自在となるようにかつ該堰板が前記下方縁部に当接するように形成し、前記伸縮機構を、その先端部位が前記堰板の側面のうち、前記建込み姿勢で上面となる側面に当接自在となるように構成したことを特徴とする壁用型枠パネル。
【請求項２】
前記面板部を、第１の平板状面板部及び該第１の平板状面板部に対して折り曲げられた形で連なる第２の平板状面板部からなる折曲げ状面板部で構成するとともに、前記第２の平板状面板部の縁部のうち、前記建込み姿勢において各側方及び下方に位置する縁部をそれぞれ前記一対の側方縁部及び前記下方縁部とし、前記第１の平板状面板部の縁部であってその非コンクリート打設側に補剛部を立設するとともに、該補剛部に前記一対の堰板保持部を一体化させた請求項１記載の壁用型枠パネル。
【請求項３】
前記第１の平板状面板部の非コンクリート打設側であってその周縁より内側の領域に中間補剛部を立設するとともに、前記建込み姿勢で下方となる方向に開いた中間スリットが形成されかつ該中間スリットに挿入された前記堰板が前記下方縁部に当接するように形成されてなる中間堰板保持部を前記中間補剛部に一体化させる形で前記第２の平板状面板部の非コンクリート打設側であってその周縁より内側の領域に立設した請求項２記載の壁用型枠パネル。
【請求項４】
前記伸縮機構を、ナット、該ナットに螺合されるボルト及び該ボルトの先端に取り付けられた当接部で構成し、前記ナットを前記基端部位として前記一対の堰板保持部又は前記中間堰板保持部に固着するとともに、前記当接部を前記先端部位とした請求項１乃至請求項３のいずれか一記載の壁用型枠パネル。
【発明の詳細な説明】
【技術分野】
【０００１】
本発明は、鉄筋コンクリート壁、典型的には橋梁上部構造の鉄筋コンクリート壁高欄を構築する際に適用される壁用型枠パネルに関する。
【背景技術】
【０００２】
橋梁は、地盤に立設される橋台や橋脚といった下部構造と、該下部構造で支持され道路や鉄道といった輸送路が設けられる上部構造とで概ね構成され、該上部構造は、上記輸送路が載置される床版や、該床版に立設される橋梁用防護柵等で構成される。
【０００３】
橋梁用防護柵としては、歩行者や自転車の転落を防止するために設けられる高欄のほか、走行車両の橋梁外や歩道等への逸脱を防止する橋梁用車両防護柵、高欄兼用車両防護柵、さらには鉄筋コンクリート壁高欄等があり、目的に応じて適宜選択される。
【０００４】
ここで、鉄筋コンクリート壁高欄は、走行車両の橋梁外への逸脱をより確実に防止することを目的とするものであって、剛性の高い防護柵として構築されるが、かかる鉄筋コンクリート壁高欄を構築するにあたっては、床版の不陸を吸収する等の事情により、床版上面からの高さ調整が必要となる。
【０００５】
そのため、工場製作された型枠パネルを現場に搬入してこれを建て込む場合においても、該型枠パネルを床版に直接載置するのではなく、高さ調整された状態、つまり床版の上面から浮かせた状態で仮保持するとともに、その結果として生じた型枠パネルの下縁と床版上面との間に拡がる隙間を堰板で塞いだ上、該型枠パネルの内側にコンクリートを打設しなければならない。
【先行技術文献】
【特許文献】
【０００６】
【特許文献１】特開２０１３−１５５５１９号公報
【発明の概要】
【発明が解決しようとする課題】
【０００７】
このような高さ調整策として、例えば特許文献１記載の従来技術においては、その図４に示されているように、型枠パネルである型枠本体１０を、くさび状の一対のスペーサー５０，５０の上に載せるとともに該スペーサーの取合いを変えることで保持高さを調整しつつ、該スペーサーを介して床版２０の上面に仮保持するとともに、型枠本体１０の下方に生じる隙間については、該型枠本体の最下段の横リブ３ｃ上に桟木７０をボルト止めした上、該桟木に型枠本体１０の下側開放面部５を介して堰板としての木製幕板６０を釘打ちすることにより、該隙間を塞ぐ構成が採用されている。
【０００８】
しかしながら、上記従来技術においては、木製幕板６０を型枠本体１０のコンクリート当接面と面一に取り付けることができるよう、該木製幕板を型枠本体１０の下縁切り欠き部に嵌め込まれるようになっているため、調整高さに応じて、木製幕板６０を材軸方向に切断してその幅を調整せねばならないばかりか、この作業を橋軸方向に沿った長大な距離で行わねばならず、木製幕板６０を桟木７０に釘打ちする手間とも相俟って、型枠工事に長時間を要するという問題を生じていた。
【課題を解決するための手段】
【０００９】
本発明は、上述した事情を考慮してなされたもので、橋梁の上部構造を構成する床版に鉄筋コンクリート壁高欄を設ける場合において、該鉄筋コンクリート壁高欄の型枠工事の作業性を向上させることが可能な壁用型枠パネルを提供することを目的とする。
【００１０】
上記目的を達成するため、本発明に係る壁用型枠パネルは請求項１に記載したように、建込み姿勢において各側方、下方及び上方に位置する縁部をそれぞれ一対の側方縁部、下方縁部及び上方縁部として有するとともに該建込み姿勢において前記上方縁部の水平位置が前記下方縁部の水平位置よりもコンクリート打設側にずれるように構成されてなる矩形状の面板部と、前記一対の側方縁部であって前記下方縁部の近傍に位置する部位にそれぞれ立設され前記建込み姿勢で下方となる方向に開いたスリットがそれぞれ形成された一対の堰板保持部と、前記面板部の非コンクリート打設側に基端部位が連結されてなる伸縮機構とを備えるとともに、前記スリットを、長尺状の堰板が挿入自在となるようにかつ該堰板が前記下方縁部に当接するように形成し、前記伸縮機構を、その先端部位が前記堰板の側面のうち、前記建込み姿勢で上面となる側面に当接自在となるように構成したものである。
【００１１】
また、本発明に係る壁用型枠パネルは、前記面板部を、第１の平板状面板部及び該第１の平板状面板部に対して折り曲げられた形で連なる第２の平板状面板部からなる折曲げ状面板部で構成するとともに、前記第２の平板状面板部の縁部のうち、前記建込み姿勢において各側方及び下方に位置する縁部をそれぞれ前記一対の側方縁部及び前記下方縁部とし、前記第１の平板状面板部の縁部であってその非コンクリート打設側に補剛部を立設するとともに、該補剛部に前記一対の堰板保持部を一体化させたものである。
【００１２】
また、本発明に係る壁用型枠パネルは、前記第１の平板状面板部の非コンクリート打設側であってその周縁より内側の領域に中間補剛部を立設するとともに、前記建込み姿勢で下方となる方向に開いた中間スリットが形成されかつ該中間スリットに挿入された前記堰板が前記下方縁部に当接するように形成されてなる中間堰板保持部を前記中間補剛部に一体化させる形で前記第２の平板状面板部の非コンクリート打設側であってその周縁より内側の領域に立設したものである。
【００１３】
また、本発明に係る壁用型枠パネルは、前記伸縮機構を、ナット、該ナットに螺合されるボルト及び該ボルトの先端に取り付けられた当接部で構成し、前記ナットを前記基端部位として前記一対の堰板保持部又は前記中間堰板保持部に固着するとともに、前記当接部を前記先端部位としたものである。
【００１４】
本発明に係る壁用型枠パネルにおいては、その建込み姿勢において、上方縁部の水平位置が下方縁部の水平位置よりもコンクリート打設側にずれるように面板部を構成してあるとともに、該面板部の一対の側方縁部であって下方縁部の近傍に位置する部位には、建込み姿勢で下方となる方向に開いたスリットが形成された堰板保持部をそれぞれ立設してあり、該スリットは、長尺状の堰板が挿入自在となるようにかつ該堰板がその幅が表れる側の側面で下方縁部に当接するように形成してある。
【００１５】
このようにすると、床版の上面にほぼ垂直に長尺状の堰板を横置するとともに該堰板を一対の堰板保持部のスリットにそれぞれ挿入した状態において、該堰板は、その下縁で床版の床面に当接し、その幅が表れる側の側面で面板部の下方縁部に当接するため、堰板のスリットへの挿入深さとは関係なく、床版の上方空間は、面板部及び堰板で確実に仕切られる。
【００１６】
また、本発明に係る壁用型枠パネルにおいては、面板部の非コンクリート打設側に基端部位が連結されてなる伸縮機構を、その先端部位が、上述した堰板の側面のうち、建込み姿勢で上面となる側面、言い換えれば厚みが表れる側の側面に当接自在となるように構成してあるので、伸縮機構を作動させ又は操作して基端部位と先端部位との相対距離を変化させることにより、同じく堰板のスリットへの挿入深さとは関係なく、壁用型枠パネルは、伸縮機構及び堰板を介して床版の床面に支持される。
【００１７】
そのため、床版床面からの型枠設置高さを調整してコンクリート打設を行う必要がある場合であっても、かかる高さ調整を容易に行うことが可能となり、かくして鉄筋コンクリート壁を構築する際の型枠工事における作業性を大幅に向上させることができる。
【００１８】
面板部は、建込み姿勢において上方縁部の水平位置が下方縁部の水平位置よりもコンクリート打設側にずれるように構成されていれば足りるものであって、建込み姿勢において床版に対し傾斜するように構成され、又はコンクリート打設側に凸となるように折曲げ状若しくは湾曲状に形成されたものが包摂されるが、第１の平板状面板部及び該第１の平板状面板部に対して折り曲げられた形で連なる第２の平板状面板部からなる折曲げ状面板部で構成し、第１の平板状面板部の縁部であってその非コンクリート打設側に補剛部を立設するとともに該補剛部に一対の堰板保持部を一体化させた構成が典型例となる。
【００１９】
なお、かかる構成においては、第２の平板状面板部の縁部のうち、建込み姿勢において各側方及び下方に位置する縁部がそれぞれ上述の一対の側方縁部及び下方縁部に該当し、第１の平板状面板部の縁部のうち、建込み姿勢において上方に位置する縁部は、上述の上方縁部に該当する。
【００２０】
面板部は、その周縁のみならず、内側にも中間補剛部や中間堰板保持部を設けた構成が採用可能であって、かかる構成によれば、剛性が高くなってパネルの大型化が可能となる。
【００２１】
具体的には、第１の平板状面板部の非コンクリート打設側であってその周縁より内側の領域に中間補剛部を立設するとともに、建込み姿勢で下方となる方向に開いた中間スリットが形成されかつ該中間スリットに挿入された堰板が下方縁部に当接するように形成されてなる中間堰板保持部を上述の中間補剛部に一体化させる形で第２の平板状面板部の非コンクリート打設側であってその周縁より内側の領域に立設した構成を採用することができる。
【００２２】
伸縮機構は、床版床面にほぼ垂直に横置された長尺状の堰板を介して該床版から反力をとることで、全体荷重を支持しつつ、その基端部位と先端部位との距離を変更できるものであれば、その構成は任意であるが、高ナット、該高ナットに螺合されるボルト及び該ボルトの先端に取り付けられた当接部で構成するとともに、高ナットを基端部位として上述の堰板保持部又は中間堰板保持部に固着するとともに、当接部を上述の先端部位とした構成が典型例となる。
【００２３】
本発明に係る壁用型枠パネルは、橋梁の上部構造を構成する床版に構築される鉄筋コンクリート壁高欄への適用が主たるものとなるが、橋梁に限らず、広く鉄筋コンクリート壁に適用することが可能である。
【００２４】
また、本発明に係る壁用型枠パネルは、鉄筋コンクリート壁の一方の側面に設ける型枠材として単体で成立し得るが、上述した上方縁部を該上方縁部に公知の型枠パネルが連結できるように構成したならば、安価に調達可能な型枠パネル、例えば木製の合板パネルと組み合わせることにより、型枠パネル全体の製作コストを抑えることが可能となる。
【図面の簡単な説明】
【００２５】
【図１】本実施形態に係る壁用型枠パネル１の全体斜視図。
【図２】本実施形態に係る壁用型枠パネル１の分解斜視図。
【図３】本実施形態に係る壁用型枠パネル１をＡ−Ａ線方向から見た矢視図。
【図４】本実施形態に係る壁用型枠パネル１を用いて鉄筋コンクリート壁を構築する際の施工手順を示した図。
【図５】引き続き施工手順を示した図であって、コンクリート打設直前の様子を示した鉛直断面図。
【図６】引き続き鉄筋コンクリート壁を構築する際の施工手順を示した図であって、(a)は型枠解体後の様子を示した鉛直断面図、(b)は床版２上に舗装６２を施した様子を示した鉛直断面図。
【図７】本実施形態に係る壁用型枠パネルの変形例を示した斜視図。
【発明を実施するための形態】
【００２６】
以下、本発明に係る壁用型枠パネルの実施の形態について、添付図面を参照して説明する。
【００２７】
図１は、本実施形態に係る壁用型枠パネルを示した全体斜視図、図２は同じく分解斜視図、図３は同じくＡ−Ａ線方向から見た矢視図である。これらの図に示すように、本実施形態に係る壁用型枠パネル１は、橋梁の上部構造を構成する床版２に鉄筋コンクリート壁としての鉄筋コンクリート壁高欄を構築する際、その内側型枠の一部として用いられるものであって、矩形状の面板部３と、一対の堰板保持部４，４と、中間堰板保持部５ａ，５ｂ，５ｃ，５ｄと、伸縮機構６ａ，６ｂとを備える。
【００２８】
面板部３は、第１の平板状面板部としての面板部３ａ及び該面板部に対してコンクリート打設側に凸となるように折り曲げられた形で連なる第２の平板状面板部としての面板部３ｂからなる折曲げ状面板部として構成してあり、例えば鋼板を折り曲げ形成して構成することができる。
【００２９】
面板部３ａには、建込み姿勢で上方に位置する縁部が上段上方縁部１６として形成してあるとともに、建込み姿勢で側方に位置する縁部が上段側方縁部７，７として形成してあり、上段上方縁部１６は、本発明に係る上方縁部に対応する。
【００３０】
面板部３ｂには、建込み姿勢で側方に位置する縁部が下段側方縁部８，８として形成してあるとともに、建込み姿勢で下方に位置する縁部が下段下方縁部９として形成してあり、下段側方縁部８，８と下段下方縁部９はそれぞれ、本発明に係る一対の側方縁部と下方縁部に対応する。
【００３１】
面板部３は、建込み姿勢において、上段上方縁部１６の水平位置が、下段下方縁部９の水平位置よりもコンクリート打設側、図１，２では紙面奥側、図３では紙面左側にずれるように構成してある。
【００３２】
堰板保持部４，４は、下段側方縁部８，８であって下段下方縁部９の近傍に位置する部位にかつ面板部３ｂの非コンクリート打設側にそれぞれ立設してあり、中間堰板保持部５ａ，５ｂ，５ｃ，５ｄは、下段下方縁部９の近傍に位置する部位にかつ面板部３ｂの非コンクリート打設側であってその周縁より内側の領域にそれぞれ立設してある。
【００３３】
面板部３ａの上段上方縁部１６と上段側方縁部７，７には、それらの非コンクリート打設側にリブ状をなす補剛部１０と補剛部１１，１１をそれぞれ立設してあるとともに、補剛部１１，１１に堰板保持部４，４をそれぞれ一体化してある。
【００３４】
補剛部１０、補剛部１１，１１及び堰板保持部４，４は、例えば鋼板で構成することができる。
【００３５】
面板部３ａの周縁内側領域においては、その非コンクリート打設側にリブ状の中間補剛部１２ａ，１２ｂ，１２ｃ，１２ｄを立設するとともに、該中間補剛部に中間堰板保持部５ａ，５ｂ，５ｃ，５ｄをそれぞれ一体化してある。
【００３６】
中間補剛部１２ａ，１２ｂ，１２ｃ，１２ｄ及び中間堰板保持部５ａ，５ｂ，５ｃ，５ｄについても、同様に鋼板で構成すればよい。
【００３７】
面板部３ａの周縁内側領域においては、中間補剛部１２ａ，１２ｂ，１２ｃ，１２ｄの面外剛性を高めるべく、それらに直交する形で非コンクリート打設側にリブ状の補剛部１３ａ，１３ｂ，１３ｃ，１３ｄ，１３ｅを立設してあるとともに、堰板保持部４，４及び中間堰板保持部５ａ，５ｂ，５ｃ，５ｄには、それらの上縁を相互につなぐ形で補剛プレート１４が、下縁をつなぐ形で補剛プレート１５がそれぞれ架け渡してあり、堰板保持部４，４及び中間堰板保持部５ａ，５ｂ，５ｃ，５ｄの面外剛性を高める機能を果たす。
【００３８】
ここで、堰板保持部４，４には、建込み姿勢で下方となる方向に開いたスリット２１，２１をそれぞれ形成してあるとともに、該スリットは、床版２にほぼ垂直となるように該床版の上面に横向きに載置された長尺状の堰板３１が挿入自在となるように、かつ該堰板のうち、幅が表れる側の側面３６で下段下方縁部９に当接するように形成してある。
【００３９】
また、中間堰板保持部５ａ，５ｂ，５ｃ，５ｄには、建込み姿勢で下方となる方向に開いた中間スリット２２をそれぞれ形成してあるとともに、該中間スリットは、堰板３１が挿入自在となるように、かつ該堰板のうち、幅が表れる側の側面３６で下段下方縁部９に当接するように形成してある。
【００４０】
また、伸縮機構６ａ，６ｂは、面板部３の非コンクリート打設側にそれぞれ設けてあって、ナットとしての高ナット３２、該高ナットに螺合されるボルト３３及び該ボルトの先端に取り付けられた当接部３４で構成してあり、基端部位である高ナット３２，３２を中間堰板保持部５ａと中間堰板保持部５ｄにそれぞれ溶接等で固着してあるとともに、先端部位である当接部３４，３４を、堰板３１の側面のうち、建込み姿勢で上面となる側面、言い換えれば厚みが表れる側の側面３５にそれぞれ当接自在となるように構成してある。
【００４１】
本実施形態に係る壁用型枠パネル１においては、その建込み姿勢において、上段上方縁部１６の水平位置が下段下方縁部９の水平位置よりもコンクリート打設側にずれるように面板部３を構成してあり、面板部３ｂであって下段下方縁部９の近傍に位置する部位には、建込み姿勢で下方となる方向に開いたスリット２１が形成された堰板保持部４，４をそれぞれ立設してあるとともに、同じく建込み姿勢で下方となる方向に開いたスリット２２が形成された中間堰板保持部５ａ，５ｂ，５ｃ，５ｄをそれぞれ立設してあり、該各スリットは、長尺状の堰板３１が挿入自在となるようにかつ該堰板が、その幅が表れる側の側面３６で下段下方縁部９に当接するように形成してある。
【００４２】
このようにすると、床版２の上面にほぼ垂直に長尺状の堰板３１を横向きに載置するとともに該堰板を各堰板保持部４のスリット２１及び中間堰板保持部５ａ，５ｂ，５ｃ，５ｄのスリット２２にそれぞれ挿入した状態において、該堰板は、その下縁で床版２の床面に当接し、その幅が表れる側の側面３６で面板部３ｂの下段下方縁部９に当接するため、スリット２１やスリット２２への堰板３１の挿入深さとは関係なく、床版２の上方空間は、面板部３及び堰板３１で確実に仕切られる。
【００４３】
また、本実施形態に係る壁用型枠パネル１においては、面板部３の非コンクリート打設側である中間堰板保持部５ａ，５ｄに基端部位である高ナット３２が連結されてなる伸縮機構６ａ，６ｂを、その先端部位である当接部３４が、堰板３１の側面のうち、厚みが表れる側の側面３５に当接自在となるように構成してあるので、ボルト３３を高ナット３２にねじ込んで基端部位と先端部位との相対距離を変化させることにより、スリット２１やスリット２２への堰板３１の挿入深さとは関係なく、壁用型枠パネル１は、伸縮機構６ａ，６ｂ及び堰板３１を介して床版２の床面に支持される。
【００４４】
本実施形態に係る壁用型枠パネル１を用いて床版２に鉄筋コンクリート壁高欄を構築するには、予め堰板３１に転倒防止板４１を直交方向に取り付けておき、次いで図４(a)に示すように、転倒防止板４１を床版２に留め付けることにより、堰板３１を該床版の床面に立設する。
【００４５】
なお、堰板３１は、壁用型枠パネル１の面板部３が、鉄筋コンクリート壁高欄の橋梁内側壁面に沿って建て込まれるように水平位置を適宜決定する。また、鉄筋（図示せず）については、型枠工事と交錯せぬよう、適宜先行して配筋しておく。
【００４６】
次に、堰板保持部４，４の各スリット２１及び中間堰板保持部５ａ，５ｂ，５ｃ，５ｄの各スリット２２に堰板３１が挿入されるように、壁用型枠パネル１を下げ降ろす。
【００４７】
次に、所望の高さ位置で壁用型枠パネル１を吊持し、次いで図４(b)に示すように、伸縮機構６ａ，６ｂのボルト３３をそれぞれねじ込み、それらの当接部３４を堰板３１の側面３５に当接することで、壁用型枠パネル１の自重を堰板３１を介して床版２の床面で支持する。
【００４８】
次に、図５に示すように、鉄筋コンクリート壁高欄の橋梁内側壁面に沿うように、壁用型枠パネル１の補剛部１０に木製の合板パネル５１を連結して内側型枠を完成させるとともに、床版２の裏面に取り付けられた腕木５２の先端に載せる形で、木製の合板パネル５３を鉄筋コンクリート壁高欄の橋梁外側壁面に沿うように外側型枠として建て込み、該外側型枠を、堰板３１，壁用型枠パネル１及び合板パネル５１からなる内側型枠と連結する。
【００４９】
連結にあたっては、セパレータ（図示せず）、フォームタイ（登録商標）等の名称で販売されている連結具及び端太角材を適宜組み合わせればよい。
【００５０】
次に、内側型枠と外側型枠の間にコンクリートを打設し、適宜養生させた後、脱型して図６(a)に示すように鉄筋コンクリート壁高欄６１とするとともに、道路橋であれば、同図(b)に示すように床版２の床面に舗装６２を施す。
【００５１】
以上説明したように、本実施形態に係る壁用型枠パネル１によれば、床面からの型枠設置高さを調整してコンクリート打設を行う必要がある場合であっても、かかる高さ調整を容易に行うことが可能となり、かくして鉄筋コンクリート壁高欄６１を構築する際の型枠工事における作業性を大幅に向上させることができる。
【００５２】
本実施形態では、一対の堰板保持部４，４及び補剛部１１，１１の間に、４組の中間堰板保持部５ａ，５ｂ，５ｃ，５ｄ及び中間補剛部１２ａ，１２ｂ，１２ｃ，１２ｄを設けるようにしたが、中間堰板保持部及び中間補剛部の組数は任意であるし、これらを設けずとも全体剛性を確保できるのであれば、図７(a)に示すようにこれらを省略してもかまわないし、同図(b)に示すように、補剛部１０，１１や補剛プレート１４，１５を省略した構成が本発明から排除されるものではない。
【００５３】
また、本実施形態では、面板部３を面板部３ａ及び面板部３ｂからなる折曲げ状面板部として構成したが、本発明の面板部は、建込み姿勢において上方縁部の水平位置が下方縁部の水平位置よりもコンクリート打設側にずれるように構成されていれば足りるものであって、図７(c)に示すように、コンクリート打設側に凸となるように湾曲状に形成されてなる面板部７１や、同図(d)に示すように、建込み姿勢において床版に対し傾斜するように構成されてなる面板部７２も包摂される。
【符号の説明】
【００５４】
１            壁用型枠パネル
２            床版
３            面板部
３ａ          第１の平板状面板部
３ｂ          第２の平板状面板部
４            堰板保持部
５ａ〜５ｄ    中間堰板保持部
６ａ，６ｂ    伸縮機構
８，８        一対の側方縁部
９            下段下方縁部（下方縁部）
１０，１１      補剛部
１２ａ〜１２ｄ  中間補剛部
１６            上段上方縁部（上方縁部）
２１            スリット
２２            中間スリット
３１            堰板
３２            高ナット（ナット、基端部位）
３３            ボルト
３４            当接部（先端部位）
３５            堰板３１の側面（厚みが表れる面）
３６            堰板３１の側面（幅が表れる面）
７１，７２      面板部
【図１】
2019116804.tif 000003
【図２】
2019116804.tif 000004
【図３】
2019116804.tif 000005
【図４】
2019116804.tif 000006
【図５】
2019116804.tif 000007
【図６】
2019116804.tif 000008
【図７】
2019116804.tif 000009